(57)【要約】      （修正有）【課題】蓋に備えた匙部により収容物の取り出しを容易に行えることは勿論、収容物を不必要に掻き乱してしまうことがなく、容器本体を容易に開閉することができる取出し具付きの容器を提供する。【解決手段】蓋１３が容器本体１２に取り付けられているとき、容器本体１２内の略真下に向けて垂下するよう容器本体１２の収容物Ａを取り出すための匙部１６を、蓋１３，の裏側における中心部から突設した取出し具付きの容器１１。【選択図】図１
0003108578.tif 000002
【実用新案登録請求の範囲】
【請求項１】
内部に収容した収容物を取り出し可能とする開口部を上部に有した容器本体と、上記開口部を閉塞する蓋とを備えた取出し具付きの容器であって、
上記蓋が上記容器本体に取り付けられているとき、上記容器本体内の略真下に向けて垂下するよう上記収容物を取り出すための匙部を、上記蓋の裏側における中心部から突設した
取出し具付きの容器。
【請求項２】
前記匙部の先端側をヘラ状に形成した
請求項１に記載の取出し具付きの容器。
【請求項３】
前記匙部、又は／及び、前記蓋における前記匙部を除いた蓋本体部を、弾性体により形成した
請求項１又は請求項２に記載の取出し具付きの容器。
【請求項４】
前記弾性体により形成した匙部の全長を、上記蓋が上記容器本体に取り付けられているときにおける、上記容器本体の底面と上記蓋との間隔よりも長く形成した
請求項３に記載の取出し具付きの容器。
【請求項５】
前記匙部を、前記蓋における上記匙部を除いた蓋本体部に対して着脱可能に形成した
請求項１から請求項４のうちいずれか１項に記載の取出し具付きの容器。
【請求項６】
前記匙部における前記蓋本体部との結合部を、吸盤により形成した
請求項５に記載の取出し具付きの容器。
【請求項７】
内部に収容した収容物を取り出し可能とする開口部を上部に有した容器本体と、上記開口部を閉塞する蓋とを備えた取出し具付きの容器であって、
上記蓋の裏側に取り付けられるパッキンを具備し、
上記パッキンを裏側に取り付けた蓋が、上記容器本体に取り付けられているとき、上記容器本体内の略真下に向けて垂下するよう上記収容物を取り出すための匙部を、上記パッキンおける中心部から突設した
取出し具付きの容器。
【考案の詳細な説明】
【技術分野】
【０００１】
この考案は、容器本体に収容した収容物を取り出す専用の取出し具を蓋に備えた取出し具付きの容器に関する。
【背景技術】
【０００２】
例えば、複数人が各自のスプーンを用いて共有の瓶詰め容器からジャムなどを取り出す場合は、互いに抵抗感を抱くものである。また、容器に収容された所定の収容物を取り出すためのスプーンを、上記所定の収容物とは異なる収容物が収容された別の容器にも兼用した場合、互いに異なる収容物が混入してしまうという問題も生じる。  
かといって、食事の度にその容器専用のスプーンなどを用意することは、面倒であった。
【０００３】
このような背景から、容器本体の蓋に収容物を取り出すための取出し具を具備した取出し具付きの容器が提案されている。
【０００４】
例えば、下記特許文献１において、蓋の裏側に匙を具備した取出具付きの容器が開示されている。  
上記取出具付きの容器は、上記匙の先端に、スプーン形状をしたすくい部を設けた構成をしている。さらに、上記蓋の表面側には、上記すくい部の向きを示す標示を設けて形成している。
【０００５】
主に上記標示は、蓋の表面において中心からずらした位置に設けられていることから、上記標示の位置によって、上記匙における、すくい部の向きを判別することができる。  
これは、蓋の表面において標示が中心からずらした方向にすくい部が向くように、標示、及び、すくい部を形成しているためである。
【０００６】
具体的に、匙は、蓋の裏側における標示に対応する部位から突き出して、下部に進むにつれて容器内部対角線上に傾斜しながら延出した形状で形成している。そして、匙の先端のすくい部におけるすくい面が標示の有する側へ対向するよう形成している。
【０００７】
上記構成を採る取出具付きの容器は、容器の内部が外側から見えない場合であっても、蓋をその表面における中心部に対してずらした位置に設けた標示の存在する方向へ動かせば、すくい部により確実に収容物をすくい上げることができるというものである。
【０００８】
しかし、上記構成を採る取出し具付き容器は、以下の問題点を有する。  
容器本体に螺合された蓋を回転することにより、容器本体の開閉を行うが、匙は、蓋に対して上述したような取り付け形態であるため、蓋を回転するに伴って、収容物全体を撹拌してしまうことになる。
【０００９】
これにより、収容物内に空気が混入してしまうことや、収容物の状態が乱雑な状態となることから収容物の品質や見栄えを低下させてしまうという問題を有する。
【００１０】
さらに、蓋に対して匙が上述したような取り付け形態であれば、収容物に浸っている匙の長さが長くなってしまう。このため、蓋を回転したとき、匙は容器本体内の広範囲で収容物に当接することになるため、その分、匙には負荷がかかる。  
よって、例えば、ジャムなどの収容物の粘度が高い場合は、容器本体の開閉操作の度に余分な労力を要するという問題も有する。
【００１１】
【特許文献１】特開平９−１７３２２５号公報
【考案の開示】
【考案が解決しようとする課題】
【００１２】
そこで本考案では、蓋に備えた匙部により収容物の取り出しを容易に行えることは勿論、収容物を不必要に掻き乱してしまうことがなく、容器本体を容易に開閉することができる取出し具付きの容器の提供を目的とする。
【課題を解決するための手段】
【００１３】
容器本体を開閉する際、蓋を容器本体に対して回転本願考案に係る取出し具付きの容器は、内部に収容した収容物を取り出し可能とする開口部を上部に有した容器本体と、上記開口部を閉塞する蓋とを備えた取出し具付きの容器であって、上記蓋が上記容器本体に取り付けられているとき、上記容器本体内の略真下に向けて垂下するよう上記収容物を取り出すための匙部を、上記蓋の裏側における中心部から突設したことを特徴とする。
【００１４】
上記匙部の先端側は、スプーン形状、ブラシ形状などのいずれか１つの形状に限定しなが、好ましくは、ヘラ形状で形成するとよい。
【００１５】
なぜなら、収容物が匙部に付着し難いため、常時、匙部を清潔に保つことができるからである。
【００１６】
勿論、上記匙部の先端側をヘラ状に形成する場合の中でも、コテやバターナイフなど用途に応じたヘラ形状で形成するとよい。
【００１７】
また、本願考案に係る取出し具付きの容器は、上記匙部、又は／及び、蓋本体部を、合成樹脂、木材、又は、スレンレスなどの金属などいずれの材質で形成してもよく、弾性体により形成することもできる。
【００１８】
上記匙部を弾性対により形成した場合は、匙部の全長を、上記蓋が上記容器本体に取り付けられているときにおける上記容器本体の底面と上記蓋との間隔よりも長く形成することができる。
【００１９】
また、上記匙部を、上記蓋における上記匙部を除いた蓋本体部に対して着脱可能に形成することもできる。
【００２０】
上記匙部は、例えば、嵌合により、螺合により、或いは挿通することにより蓋本体部に対して着脱可能な構成で形成することができ、１つの構成に限定しない。
【００２１】
中でも上記匙部における上記蓋本体部との結合部を、吸盤により着脱可能に形成すれば、もともと匙部を具備していない既存の蓋に取り付けて用いることができるため、有効である。
【００２２】
また、取出し具付きの容器は、内部に収容した収容物を取り出し可能とする開口部を上部に有した容器本体と、上記開口部を閉塞する蓋とを備えた取出し具付きの容器であって、上記蓋の裏側に取り付けられるパッキンを具備し、上記パッキンを裏側に取り付けた蓋が、上記容器本体に取り付けられているとき、上記容器本体内の略真下に向けて垂下するよう上記収容物を取り出すための匙部を、上記パッキンおける中心部から突設することもできる。
【考案の効果】
【００２３】
請求項１に係る考案によれば、容器本体を開閉する際に蓋を容器本体に対して回転させても、匙部によって収容物全体を不必要に撹拌してしまうことがない。  
よって、収容物に空気が混入してしまうことや、匙部によって収容物を掻き乱してしまうことがないため、収容物の品質、見栄えとも良好に保つことができる。
【００２４】
しかも、蓋を容器本体に対して回転させたとき、匙部は収容物に当接しながら回転することになるが、その際、匙部に作用する負荷を最小限に留めることができる。  
よって、容器の開閉操作を容易に行うことができるとともに、匙部が破損してしまうこともない。
【００２５】
請求項２に係る考案によれば、匙部の先端側をヘラ状に形成することで、匙部の先端側がスプーン形状のように収容物を取り出すためのすくい面上に収容物が付着してしまうことがない。しかも、すくい面が一方の面のみ有するスプーンと異なり、裏表両面側に存在するいずれのすくい面を用いても収容物をすくい出せる。
【００２６】
請求項３に係る考案によれば、上記匙部、又は／及び、上記蓋本体部を、弾性体により形成することにより、自在に撓み変形させることができる。このため、上記匙部や上記蓋本体部を、より応用して用いることができる。例えば、上記蓋本体部を、小さく折り畳むことにより、該蓋本体部が容器本体の開口部における口縁部に当接することを防ぐことができ、匙部の先端を容器本体の隅部に残留している収容物にまで届かせることができるなどの効果を奏することができる。
【００２７】
請求項４に係る考案によれば、匙部が弾性体であれば、該匙部を撓ませることにより、様々な深さ、大きさをした容器本体に対しても蓋を取り付けることができるため、適用させることができる。
【００２８】
しかも、このような匙部を用いて収容物を取り出す際には、たわみ変形していない形状に復元した匙部における先端を、容器本体の内部における隅部にまで届かせることができる。  
よって、容器本体の内部が空になるまで、収容物を確実、且つ、容易に取り出すことができる。
【００２９】
請求項５に係る考案によれば、匙部と蓋本体部とを分離することができるため、先端側がスプーン形状、或いはヘラ形状などをした別の匙部と取り換えて用いることができる。
【００３０】
請求項６に係る考案によれば、匙部における吸盤を既存の蓋の裏面に取り付けることができる。これにより、既存の容器本体も取出し具付きの容器として用いることができる。
【００３１】
請求項７に係る考案によれば、上記パッキンは、別の容器における蓋の裏面に対しても着脱が可能であるため、既存の容器における蓋の裏面に取り付けて用いたり、容器本体内が空になったとき、パッキンだけを新たな容器における蓋の裏面に付け替えて用いたりすることもできる。
【００３２】
さらに、パッキンは、蓋の裏面から取り外して容易に洗浄することもできる。
【考案を実施するための最良の形態】
【００３３】
この考案の一実施形態を、以下図面を用いて説明する。  
【実施例１】
【００３４】
図１，図２（ａ），（ｂ）に示したように、本実施形態に係る取出し具付きの容器１１は、内部にジャムＡが充填されている容器本体１２と、該容器本体１２の内部にジャムＡを封入するための蓋１３とにより構成する。
【００３５】
上記容器本体１２は、有底円筒状に形成した瓶容器であり、その上部には、開口部１４を備えている。上記開口部１４の外周縁部には、上記蓋１３を取り付けるための螺子部１４ａを形成している。
【００３６】
一方、上記蓋１３は、上記容器本体１２における開口部１４を閉塞する蓋本体部１５と、容器本体１２の内部に充填したジャムＡを取り出すための匙部１６とを合成樹脂により一体に形成している。  
具体的に、上記蓋本体部１５は、開口部１４を閉塞可能な大きさをした円盤状に形成し、その外周部には、上記容器本体１２へ取り付ける取り付け部１７を下方に突設している。さらには、上記取り付け部１７の内周側は、上記開口部１４における螺子部１４ａと螺合する他方の螺子部１７ａを形成している。
【００３７】
さらに、上記匙部１６は、上記蓋本体部１５の裏面であって、円板状をした蓋本体部１５における中心部から突設されている（図２（ａ）参照）。蓋１３を容器本体１２に取り付けたとき、匙部１６の先端側が容器本体１２の底面に略達する長さになるよう上記匙部１６を形成している（図２（ｂ）参照）。さらに、上記匙部１６における先端側を、ヘラ１６ｂで形成している。該ヘラ１６ｂの上部側は、丸棒状に形成してヘラ１６ｂを支持する支持部１６ａを形成している。
【００３８】
本実施形態に係る取出し具付きの容器１１は、上述のように形成している。
【００３９】
上記構成を採る取出し具付きの容器１１を用いれば、蓋本体部１５を把持しながら、容器本体１２に差し込んだ匙部１６におけるヘラ１６ｂを操ることによって、容器本体１２内のジャムＡを容易にすくい取ることができる（図示せず）。
【００４０】
しかも、本実施形態に係る取出し具付きの容器１１は、上述したように匙部１６を蓋本体部１５の中心から突設させた構成を採る。このため、図３（ａ），（ｂ）に示したように容器本体１２の開口部１４を開口するために、蓋１３を回転させても、匙部１６は蓋１３の回転軸上を回転することになる。
【００４１】
よって、蓋１３の回転中に匙部１６がジャムＡと当接しても、例えば、容器本体１２の内部を対角線状に傾斜させた形態の匙部と比較して、本実施形態に係る匙部１６には、過大な曲げ応力が作用することがない。  
なお、開口部１４を閉口する方向へ蓋１３を容器本体１２に対して回転する場合も上述した開口部１４を開口する場合と同じ原理であるため、その説明は省略するが、勿論、本実施形態に係る取出し具付きの容器１１の構成を採れば、開口部１４を開口する場合と同様の効果を得ることができる。
【００４２】
以上により、収容物の粘度が、たとえジャムＡのように高い場合であっても、使用者は、スムーズに蓋１３を回転させて開口部１４の開閉操作を行うことができる。
【００４３】
しかも、このとき容器本体１２内に充填しているジャムＡを激しく掻き回してしまうこともないため、空気が混入されることもなくジャムＡの品質を保つことができる。
【実施例２】
【００４４】
さらに、実施例２に係る取出し具付きの容器２１は、上記匙部１６を上記蓋本体部１５に対して着脱可能とした構成で形成することができる。上記蓋２２と上記匙部材２３との着脱は、例えば、図４（ａ）に示したような構成により実現している。
【００４５】
すなわち、上記実施形態における蓋２２は、実施例１における蓋本体部１５に対応し、上記実施形態における匙部材２３は、実施例１における匙部２３に対応するが、蓋２２と匙部１６材とは別部材により形成している。
【００４６】
具体的には、蓋２２の裏面における中心部には、上記匙部材２３を嵌め込み可能とする嵌め込み用凹部２４を形成している。一方、上記匙部材２３の長さ方向におけるヘラを形成した側と反対側には、上記嵌め込み用凹部２４に嵌合可能とする嵌め込み用凸部２５を形成している。  
さらに、匙部材２３における上記嵌め込み用凸部２５の先端部を、面状に形成することで、蓋２２の裏面における嵌め込み用凹部２４に嵌合させたとき、嵌め込み用凹部２４の先端部を蓋２２の裏面と面接触した状態とすることができる。これにより、蓋２２と匙部材２３とが嵌合したとき、蓋２２に対して不安定にならないよう匙部材２３を規制することができる。
【００４７】
上記構成により取出し具付きの容器２１は、適宜、上記匙部材２３と蓋２２とを、互いに分離することができる。よって、ともにシンプルな部材とすることができるため、洗浄も容易に行うことができる。しかも、全体の製造コストを低減することができる。
【００４８】
さらに、匙部材２３の先端側は、上述したヘラ１６ｂの形状に限定せず、例えば、先端側をスプーン形状、ブラシ形状など様々な形状のものを用意してもよい。さらには、匙部材２３の全長が異なるものなどを予め用意してもよい。
【００４９】
上述したように様々な形状の匙部材２３を複数、備えることにより、該匙部材２３を、蓋２２に対して自在に付け替えることができるため、容器本体１２に収容する収容物の内容、容器本体１２のサイズに応じて適宜、最適な匙部材へ取り換えて用いることができる。
【実施例３】
【００５０】
さらに、実施例３に係る取出し具付きの容器３１として、図４（ｂ）に示したように匙部材３４における蓋３３との結合部を吸盤３２により形成することで、匙部材３４を蓋３３に対して着脱可能に形成してもよい。具体的には、吸盤３２は、ゴムで形成するとともに、匙部材３４の吸着面３２ａを蓋３３の裏面に取り付けたとき、該匙部材３４の先端側が振動しない程度に強固に吸着できる弾性力、大きさを備えて形成している。  
なお、匙部材３４は、上記吸盤３２の吸着面３２ａの反対側と、合成樹脂製で形成した支持部３４ａと熱溶着により一体に形成している。  
一方、蓋３３の裏面は、通常、用いられる既存の蓋と同様に平板状に形成している。
【００５１】
上記構成を採る取出し具付きの容器３１は、実施例２に係る取出し具付きの容器２１の構成により奏することができる効果に加えて、以下に示す効果を奏することができる。  
すなわち、蓋３３の裏面が平面状であっても匙部材３４の吸盤３２を用いれば、匙部材３４を蓋３３に取り付けることができる。これにより、匙部を有していない既存の容器であっても匙部材３４を取り付けるだけで取出し具付き容器として用いることができる。
【実施例４】
【００５２】
上述した、実施例１から実施例３に係る取出し具付きの容器１１，２１，３１については、匙部１６、或いは匙部材３４の先端側を特にヘラ１６ｂで形成したが、上述したヘラ形状に限定せず、実施例４に係る取出し具付きの容器４１における匙部４１ａ，４１ｂ、或いは匙部材４１ａ，４１ｂのように、上記図５（ａ）に示した末広がり形状をしたヘラ４２で形成することや、上記図５（ｂ）に示したバターナイフ４３のように形成することができる。
【００５３】
勿論、上記匙部１６、或いは匙部材２３，３４の先端側は、ヘラ形状に限定せず、スプーン形状や、ブラシ形状でもよい。
【実施例５】
【００５４】
さらに、実施例５に係る取出し具付きの容器５１は、図６に示したように形成することができる。
【００５５】
具体的に、匙部５２の全長を前述した匙部１６の全長、すなわち、蓋本体部５３の裏面から容器本体１２の底面までの間隔よりも長くなるよう形成している。  
なお、蓋５４は、蓋本体部５３と匙部５２を強固に溶着して、これらを一体に形成している。
【００５６】
また、匙部５２におけるヘラ５２ｂは、合成樹脂などの剛体により形成し、支持部５２ａはゴムなどの弾性体により形成している。
【００５７】
なお、上記匙部５２における支持部５２ａの弾性は、弾性体により形成しているが、該匙部５２のヘラ５２ｂによってジャムＡをすくい出す際に、不用意に支持部５２ａがたわむことなくジャムＡ取り出せる弾性を有している。
【００５８】
図７に示したように、ジャムＡが残り僅かになった場合においては、匙部５２を容器本体１２に差し込んだとき、該匙部５２におけるヘラ５２ｂを、容器本体１２の隅部にまで届かせることができるため、該容器本体１２の隅部に残量するジャムＡを確実に取り出すことができる。
【００５９】
また、上記蓋５３を容器本体１２に取り付けたとき、匙部５２は、蓋本体部５３の裏面と容器本体１２の底面とによって、その長さ方向の両端側から圧縮される。これにより匙部５２はたわみ変形する（図６参照）。
【００６０】
すなわち、匙部５２における支持部５２ａがたわみ変形するため、匙部５４の長さが容器本体１２の深さより長くても蓋５４を容器本体１２に容易に取り付けることができる。
【００６１】
しかも、容器本体１２の開閉時に蓋５３を回転させたとき、匙部５２における長さ方向の略中間部位が蓋５４の回転中心に対して外側に膨出した状態にたわみ変形する。これに対して、匙部５２の長さ方向における両端側は、圧縮され、蓋３３の回転中心のまま維持される。
【００６２】
このように、匙部５２の長さ方向における殆どの部位が蓋５４の回転中心を維持するため、蓋５４の回転に伴って、匙部５２がジャムＡと当接しながら回転しても、匙部５２に過大な負荷が作用することがない。  
よって、匙部５２は、破損することもなく、容器本体１２を容易に開閉することができる。
【実施例６】
【００６３】
また、実施例６に係る取出し具付き容器６１について説明する。本実施形態における匙部６２の全長は、蓋６３の裏面から容器本体１２の底面までの長さに、実施例１における匙部６２と同様に形成している。そして、匙部６２は、支持部６２ａ、及び、ヘラ６２ｂともにステンレスなどにより剛体で形成している。
【００６４】
一方、蓋本体部６４については、シリコーンなどの弾性体により屈曲可能に形成している。
【００６５】
なお、蓋６３は、蓋本体部６４と匙部６２を強固に溶着して、これらを一体に形成している。
【００６６】
容器本体１２内にジャムＡが残り僅かになった場合に本実施例に係る取出し具付き容器６１を用いて、容器本体１２の隅部に残ったジャムＡを取り出す手順について説明する。  
まず、弾性体で形成した平面視円形をした蓋本体部６４を匙部６２の側に折り込み、半円形とする（図示せず）。さらに、蓋本体部６４の両側が重合するよう匙部６２に対して折り込む。これにより、蓋本体部６４を図８に示したようにコンパクトな形態とすることができる。
【００６７】
本実施例に係る取出し具付き容器６１の使用者は、折り畳んだ蓋本体部６４を把持し、匙部６２を容器本体１２内に差し込む。このとき、従来は蓋本体部を折り畳まなければ、容器本体１２の開口部１４の周縁部に蓋本体部６４の外周縁部が当接するため、匙部６２を容器本体１２の隅部にまで届かせることができなかった。しかし、本実施例に係る取出し具付き容器６１は、該容器本体１２の開口部１４の周縁部に蓋本体部６４の外周縁部が当接してしまうこともない。このため、匙部６２におけるヘラ６２ｂを容器本体１２の隅部に達するまで差し込むことができる。
【００６８】
よって、容器本体１２の隅部に残量するジャムＡを確実に取り出すことができる。しかも、折り畳んだ蓋本体部６４を把持することにより、匙部６２を直接、把持することもないため、該匙部６２を衛生的に保つことができる。
【００６９】
また、容器本体１２の隅部に残留したジャムＡを取り出した後は、折り畳んだ蓋本体部６４は、弾性体であるため、元の形状に復元する。このため、蓋本体部６４は、容器本体１２を開閉するための蓋として通常どおり、使用することができる。
【００７０】
勿論、上記構成を採る取出し具付き容器６１も、上述した実施例に係る取出し具付き容器と同様に蓋本体部６４の回転中心の軸線上に匙部６２が存在するため、容器本体１２の開閉の際に蓋６３を回転させても、匙部６２によって容器本体１２内に充填しているジャムＡを不必要に掻き混ぜてしまうこともない。
【実施例７】
【００７１】
最後に、実施例７に係る取出し具付き容器７１について説明する。  
図９に示したように、本実施形態に係る取出し具付き容器７１は、蓋７５の裏面に、シリコーンなどの弾性体で形成したパッキン７２を具備している。
【００７２】
上記パッキン７２は、蓋７５の裏面に取り付け可能な大きさを有した平面視略円板状をしたパッキン部７３と、上記収容物を取り出すための匙部７４とを一体に形成している。
【００７３】
さらに、上記匙部７４は、上記蓋７５が上記容器本体１２に取り付けられているとき、上記容器本体１２内の略真下に向けて垂下するよう上記蓋７５の裏側に取り付けられた上記パッキン部７３おける中心部から突設している。  
なお、上記匙部７４においては、支持部７４ａとヘラ部７４ｂとを一体に結合してなる。
【００７４】
上記構成により、パッキン７２は、別の容器における蓋７５の裏面にも着脱が可能であるため、既存の容器における蓋の裏面に取り付けて用いたり、容器本体１２内が空になったとき、パッキン７２だけを新たな容器における蓋７５の裏面に付け替えて用いたりすることもできる。
【００７５】
さらに、パッキン７２は、蓋７５の裏面から取り外して容易に洗浄することもできる。
【００７６】
上述の実施形態と、この考案の構成との対応において、この実施形態のジャムＡは、この考案の収容物に対応し、以下同様に、匙部１６，４１ａ，４１ｂ，５２，６２、又は、匙部材２３，３４，４１ａ，４１ｂは、匙部に対応するも、この考案は、上述の実施形態の構成のみに限定されるものではなく、上述したように多くの実施の形態を得ることができる。
【００７７】
例えば、実施例７に係る取出し具付き容器７１において、上述したパッキン部７３と匙部７４とを上記実施例２、及び、実施例３に係る取出し具付き容器２１，３１のように着脱可能に形成するなど、上述した各実施例における取出し具付き容器の構成を互いに組み合わせて形成してもよい。
【００７８】
さらに例えば、容器本体１２の隅部に残留するジャムＡをすくい取ることができるよう構成する手段として匙部をストローのように伸縮自在に形成したり、バネを用いて構成したりすることもできる。
【図面の簡単な説明】
【００７９】
【図１】実施例１に係る取出し具付きの容器の使用状態を示す外観図。
【図２】図２（ｂ）におけるＡ−Ａ断面図（ａ）、実施例１に係る取出し具付きの縦方向の断面図（ｂ）。
【図３】実施例１に係る取出し具付きの容器の使用状態を示した断面図（ａ）、図３（ａ）におけるＡ−Ａ断面図（ｂ）。
【図４】実施例２に係る取出し具付きの容器の要部を拡大して示した断面図（ａ）、実施例３に係る取出し具付きの容器の要部を拡大して示した断面図（ｂ）。
【図５】実施例４に係る取出し具付きの容器の要部を拡大して示した断面図（ａ）、実施例４に係る取出し具付きの容器の要部を拡大して示した断面図（ｂ）。
【図６】実施例５に係る取出し具付きの容器の縦方向の断面図。
【図７】実施例５に係る取出し具付きの容器の使用状態を示した断面図。
【図８】実施例６に係る取出し具付きの容器の使用状態を示した外観図。
【図９】実施例７に係る取出し具付きの容器の使用状態を示した外観図。
【符号の説明】
【００８０】
１１，２１，３１，４１，５１，６１，７１…取出し具付きの容器
１２…容器本体
１３，２２，３３，５４，６３，７５…蓋
１４…開口部
１５，５３，６４…蓋本体部
１６，４１ａ，４１ｂ，５２，６２，７４…匙部
２３，３４，４１ａ，４１ｂ…匙部材
１６ｂ，４２，４３，５２ｂ，６２ｂ…ヘラ
２４…嵌め込み用凹部
２５…嵌め込み用凸部
３２…吸盤
７２…パッキン
７３…パッキン部
【図１】
0003108578.tif 000003
【図２】
0003108578.tif 000004
【図３】
0003108578.tif 000005
【図４】
0003108578.tif 000006
【図５】
0003108578.tif 000007
【図６】
0003108578.tif 000008
【図７】
0003108578.tif 000009
【図８】
0003108578.tif 000010
【図９】
0003108578.tif 000011